(57)【特許請求の範囲】
【請求項１】
複数の高周波数帯で、アナログ方式の放送とデジタル方式の放送とを含む複数の方式の放送を受信可能な放送受信機において、
各高周波数帯毎に設けられ、放送を受信して、周波数の変換および増幅を含む高周波アナログ信号処理を行う複数の高周波アナログ回路と、
各高周波数帯の高周波アナログ回路に対して共通に設けられ、最も出力信号の周波数が高い高周波アナログ回路に対応する高速性と、最も高い分解能を要する高周波アナログ回路に対応する高分解能とを有し、各高周波数帯の高周波アナログ回路から周波数変換されて出力されるアナログ信号を、デジタル信号に変換する高速・高分解能のアナログ／デジタル変換回路と、
該複数の高周波数帯の高周波アナログ回路に対して共通に設けられ、前記アナログ／デジタル変換回路からのデジタル信号に、予め設定されるプログラムに従うデジタル信号処理を施し、アナログ方式の放送の受信内容およびデジタル方式の放送の受信内容を再生するデジタル信号処理回路とを含むことを特徴とする放送受信機。
【請求項２】
複数の高周波数帯で、アナログ方式の放送とデジタル方式の放送とを含む複数の方式の放送を受信可能な放送受信機において、
各高周波数帯毎に設けられ、放送を受信して、周波数の変換および増幅を含む高周波アナログ信号処理を行う複数の高周波アナログ回路と、
各高周波数帯の高周波アナログ回路に対して共通に設けられ、最も出力信号の周波数が高い高周波アナログ回路に対応する高速性と分解能とを有し、各高周波数帯の高周波アナログ回路から周波数変換されて出力されるアナログ信号を、デジタル信号に変換する高速・低分解能のアナログ／デジタル変換回路と、
該複数の高周波数帯の高周波アナログ回路に対して共通に設けられ、前記アナログ／デジタル変換回路からのデジタル信号に、予め設定されるプログラムに従うデジタル信号処理を施し、アナログ方式の放送の受信内容およびデジタル方式の放送の受信内容を再生するデジタル信号処理回路とを含み、
前記アナログ／デジタル変換回路は、高速の処理速度を要する出力信号よりも低速・高分解能を要する高周波アナログ回路からの出力信号を、アナログ／デジタル変換回路によるデジタル信号への変換後に、ダウンサンプリングで低速・高分解能のデジタル信号に変換することを特徴とする放送受信機。
【請求項３】
前記デジタル信号処理回路は、予め設定されるプログラムに従うデジタル信号処理で、アナログ方式の放送の受信信号に対するノイズ低減処理を行うことを特徴とする請求項１または２記載の放送受信機。
【請求項４】
前記アナログ／デジタル変換回路は、放送受信用のアナログ／デジタル変換回路と、アナログ方式の放送を受信する複数の高周波アナログ回路の出力からノイズを検出するように共通化されたノイズ検出用のアナログ／デジタル変換回路とを備え、
前記デジタル信号処理回路は、ノイズ検出部と切換スイッチとメモリとを有し、アナログ／デジタル変換回路によってアナログ／デジタル変換されたデジタル信号をノイズ検出対象とし、ベースバンドのアナログ信号よりも振幅が大きい信号をノイズとして検出し、そのノイズ検出信号を切換スイッチおよびメモリに与えて切換スイッチをデジタル信号を出力する側からメモリ側へ切換えるノイズ処理部を含み、そのノイズ処理部によって、放送受信用のアナログ／デジタル変換回路によって変換されるデジタル信号中からノイズを低減することを特徴とする請求項３記載の放送受信機。
【請求項５】
前記アナログ方式の放送を受信する複数の高周波アナログ回路と前記共通化されたノイズ検出用のアナログ／デジタル変換回路との間に、ノイズ検出用周波数帯域の信号成分を通過させる高域通過フィルタを備えることを特徴とする請求項４記載の放送受信機。
【請求項６】
前記アナログ／デジタル変換回路は、放送受信用のアナログ／デジタル変換回路と、アナログ方式の放送を受信する複数の高周波アナログ回路からの出力信号に基づいて受信レベルを検出するように、共通化された受信レベル検出用のアナログ／デジタル変換回路を備え、
該複数の高周波アナログ回路と該受信レベル検出用のアナログ／デジタル変換回路との間に、中間周波数帯域の信号成分を通過させる高域通過フィルタを備え、
前記デジタル信号処理回路は、信号レベル検出用のアナログ／デジタル変換回路によって変換されるデジタル信号をノイズ処理の条件として使用し、放送受信用のアナログ／デジタル変換回路によって変換されるデジタル信号からノイズを検出して、検出されるノイズを低減することを特徴とする請求項３記載の放送受信機。
【請求項７】
前記デジタル信号処理回路は、
前記複数の高周波アナログ回路によって受信され、アナログ／デジタル変換回路によってデジタル信号に変換されるアナログ方式の放送受信信号に対し、共通のノイズ低減処理を行うことを特徴とする請求項３記載の放送受信機。
【請求項８】
前記デジタル信号処理回路は、
前記デジタル方式の放送受信時の受信状況が悪く、再生される受信内容に、信号の断続による断区間が生じるか否かを検出する断続音検出部と、
断続音検出部によって検出される断区間に挿入するための処理音信号を発生する処理音発生部と、
断続音検出部によって断区間が生じていることが検出されるとき、信号の断区間に、該処理音発生部から発生される処理音信号を挿入する断続音処理部とを含むことを特徴とする請求項１〜７のいずれかに記載の放送受信機。
【請求項９】
前記処理音発生部は、前記処理音としてノイズ音を発生することを特徴とする請求項８記載の放送受信機。
【発明の詳細な説明】
【０００１】
【発明の属する技術分野】
本発明は、周波数帯および方式の異なる複数の放送メディアを受信可能な放送受信機に関する。
【０００２】
【従来の技術】
従来からの複数の放送メディアが受信可能な放送受信機の構成を、図２６に簡略化して示す。複数の放送メディアには、デジタル方式やアナログ方式の放送が含まれる。デジタル方式の放送は、たとえば衛星放送など、極超短波（ＵＨＦ，ＳＨＦ）の周波数帯域の搬送波を使用し、音声信号などの放送内容がパルスコード変調（ＰＣＭ）などのデジタル変調方式で変調される。アナログ方式の放送は、たとえば中波（ＭＷ）や超短波（ＶＨＦ）の周波数帯域の搬送波を使用し、放送内容が振幅変調（ＡＭ）や周波数変調（ＦＭ）などのアナログ変調方式で変調される。
【０００３】
高周波アナログ部１は、ＵＨＦやＳＨＦの高周波数帯域の放送信号を増幅し、中間周波数に変換する。高周波アナログ部２は、たとえば中波のＡＭ放送の受信信号を増幅し、中間周波数に変換する。高周波アナログ部３は、たとえばＶＨＦのＡＭ放送の受信信号を増幅し、中間周波数に変換する。これらの高周波アナログ部１，２，３は、デジタル方式のデジタル放送受信信号も、アナログ方式のアナログ放送受信信号も、高周波のアナログ信号として受信し、それぞれ所定の周波数の中間周波数に変換し、中間周波のアナログ信号を出力する。
【０００４】
ＡＤＣ部４は、高周波アナログ部１で中間周波数に変換されたデジタル方式の放送受信信号を、アナログ信号からデジタル信号に変換するアナログ／デジタル変換を行う。デジタル処理部５は、デジタル信号プロセッサ（以下、「ＤＳＰ」と略称する）などを用いて、ＡＤＣ部４で変換されたデジタル信号に、予め設定されるプログラムに従ったデジタル信号処理を施し、ベースバンドのデジタル信号を復調する。ＤＡＣ部６は、復調されたベースバンドのデジタル信号のデジタル／アナログ変換を行い、アナログの音声信号に変換する。
【０００５】
アナログ処理部８，９は、高周波アナログ部２，３からの中間周波のアナログ信号に対してノイズ除去や検波による復調などのアナログ信号処理を施し、アナログの音声信号を出力する。ノイズ除去や復調は、それぞれ専用に設けられる電気回路によって行われる。アナログ処理部８，９からの音声信号は、ＤＡＣ部６からの音声信号とともに、ＡＭＰ／ＳＰ部９に含まれる増幅器（ＡＭＰ）で増幅され、スピーカ（ＳＰ）で音響信号に変換されて出力される。
【０００６】
なお、デジタル方式の放送は、アナログ方式の放送に多重化され、中波のＡＭ多重放送や超短波のＦＭ多重放送などとしても行われている。中波のＡＭ多重放送受信に関しては、たとえば特開平５−１４５４９８に、ＡＭ放送波に同一の音声信号がアナログ音声信号とデジタル音声信号と多重化されているときに、中間周波への変換までを共通に行い、アナログ音声信号をエンベロープ検波器で復調し、デジタル音声信号をデジタル復調器で復調し、音質が良好な方を音声信号として出力する先行技術が開示されている。
【０００７】
また、特開平１０−１３２７６には、衛星放送（ＢＳ）や通信衛星放送（ＣＳ）からのＦＭ変調のアナログ方式およびデジタル方式の放送を、高周波増幅から中間周波増幅までを共通に行い、ＦＭ復調回路およびデジタル復調回路を備えて、両方式の信号を復調可能にする先行技術が開示されている。
【０００８】
【発明が解決しようとする課題】
図２６に示すような複数メディア放送が受信可能な放送受信機では、変調方式が異なる放送メディア毎に信号処理部を設けている。このため、放送メディアが増加するとそのたびに、ハードウエアの規模が大きくなり、放送受信機としてのサイズが大きくなってしまう。
【０００９】
また、特開平５−１４５４９８や特開平１０−１３２７６などの先行技術では、信号処理部がアナログ放送の復調とデジタル放送の復調とを行うハードウエアを備えるので、これらの先行技術を図２６に示すような複数の周波数帯の放送メディアの受信に適用するときには、各信号処理部に両方式の復調部を備えることになり、ハードウエアの規模はさらに大きくなってしまう。
【００１０】
本発明の目的は、複数の周波数帯でアナログ方式およびデジタル方式の放送受信が可能で、小型化することが容易な放送受信機を提供することである。
【００１１】
【課題を解決するための手段】
本発明は、複数の高周波数帯で、アナログ方式の放送とデジタル方式の放送とを含む複数の方式の放送を受信可能な放送受信機において、
各高周波数帯毎に設けられ、放送を受信して、周波数の変換および増幅を含む高周波アナログ信号処理を行う複数の高周波アナログ回路と、
各高周波数帯の高周波アナログ回路に対して共通に設けられ、最も出力信号の周波数が高い高周波アナログ回路に対応する高速性と、最も高い分解能を要する高周波アナログ回路に対応する高分解能とを有し、各高周波数帯の高周波アナログ回路から周波数変換されて出力されるアナログ信号を、デジタル信号に変換する高速・高分解能のアナログ／デジタル変換回路と、
該複数の高周波数帯の高周波アナログ回路に対して共通に設けられ、前記アナログ／デジタル変換回路からのデジタル信号に、予め設定されるプログラムに従うデジタル信号処理を施し、アナログ方式の放送の受信内容およびデジタル方式の放送の受信内容を再生するデジタル信号処理回路とを含むことを特徴とする放送受信機である。
【００１２】
本発明に従えば、複数の高周波数帯に対し、それぞれ高周波アナログ回路が設けられ、放送を受信して、周波数の変換および増幅を含む高周波アナログ信号処理を行う。各高周波数帯の高周波アナログ回路から周波数変換されて出力されるアナログ信号は、アナログ／デジタル変換回路によってデジタル信号に変換される。アナログ／デジタル変換回路からのデジタル信号には、デジタル信号処理回路で、予め設定されるプログラムに従うデジタル信号処理が施され、アナログ方式の放送の受信内容およびデジタル方式の放送の受信内容が再生される。デジタル信号処理回路は、複数の高周波数帯の高周波アナログ回路に対して共通に設けられ、デジタル方式およびアナログ方式の放送内容を再生する。したがって、放送内容を再生するために信号処理を行う部分を各高周波数帯毎に設ける必要はなく、複数の放送メディアが受信可能な放送受信機の小型化を図ることができる。
また共通のアナログ／デジタル変換回路によって、複数の高周波数帯の高周波アナログ回路からのアナログ信号をデジタル信号に変換する。一般に、複数の高周波アナログ回路から出力されるアナログ信号のデジタル信号への変換には、高速性が要求される場合は分解能が比較的低くてもよく、比較的低速な場合は高分解能が要求される。本発明のアナログ／デジタル変換回路は、高速であるので、中間周波数が最も高い高周波アナログ回路から出力されるアナログ信号をデジタル信号に変換することができる。また、アナログ／デジタル変換回路は、高分解能であるので、各高周波アナログ回路からのアナログ信号の分解能を落すことなく、デジタル信号に変換することができる。複数の高周波アナログ回路から出力されるアナログ信号を、単一のアナログ／デジタル変換回路デジタル信号に変換することができるので、高周波アナログ回路以降の小型化を容易に図ることができる。
【００１５】
また本発明は、複数の高周波数帯で、アナログ方式の放送とデジタル方式の放送とを含む複数の方式の放送を受信可能な放送受信機において、
各高周波数帯毎に設けられ、放送を受信して、周波数の変換および増幅を含む高周波アナログ信号処理を行う複数の高周波アナログ回路と、
各高周波数帯の高周波アナログ回路に対して共通に設けられ、最も出力信号の周波数が高い高周波アナログ回路に対応する高速性と分解能とを有し、各高周波数帯の高周波アナログ回路から周波数変換されて出力されるアナログ信号を、デジタル信号に変換する高速・低分解能のアナログ／デジタル変換回路と、
該複数の高周波数帯の高周波アナログ回路に対して共通に設けられ、前記アナログ／デジタル変換回路からのデジタル信号に、予め設定されるプログラムに従うデジタル信号処理を施し、アナログ方式の放送の受信内容およびデジタル方式の放送の受信内容を再生するデジタル信号処理回路とを含み、
前記アナログ／デジタル変換回路は、高速の処理速度を要する出力信号よりも低速・高分解能を要する高周波アナログ回路からの出力信号を、アナログ／デジタル変換回路によるデジタル信号への変換後に、ダウンサンプリングで低速・高分解能のデジタル信号に変換することを特徴とする放送受信機である。
【００１６】
本発明に従えば、共通のアナログ／デジタル変換回路によって、複数の高周波数帯の高周波アナログ回路からのアナログ信号をデジタル信号に変換する。アナログ／デジタル変換回路は、高速であるので、最高の処理速度を要する高周波アナログ回路から出力されるアナログ信号を容易にデジタル信号に変換することができる。低速・高分解能を要する高周波アナログ回路からの出力信号は、アナログ／デジタル変換後にダウンサンプリングで信号の間引き処理を行うので、総合的な処理速度は低下しても、分解能を高めて、忠実にアナログ信号に変換することができる。したがってアナログ／デジタル変換回路は、高速かつ高分解能を備える必要はないので、低価格となり、製造コストの低減を図ることができる。
【００１７】
また本発明で、前記デジタル信号処理回路は、予め設定されるプログラムに従うデジタル信号処理で、アナログ方式の放送の受信信号に対するノイズ低減処理を行うことを特徴とする。
【００１８】
本発明に従えば、アナログ方式の放送の受信信号に対するノイズ低減処理を、デジタル信号処理回路のプログラムに従うデジタル信号処理で行うことができるので、ノイズ処理のための専用のハードウエアを削減することができる。
【００１９】
また本発明は、前記アナログ／デジタル変換回路は、放送受信用のアナログ／デジタル変換回路と、アナログ方式の放送を受信する複数の高周波アナログ回路の出力からノイズを検出するように共通化されたノイズ検出用のアナログ／デジタル変換回路とを備え、
前記デジタル信号処理回路は、ノイズ検出部と切換スイッチとメモリとを有し、アナログ／デジタル変換回路によってアナログ／デジタル変換されたデジタル信号をノイズ検出対象とし、ベースバンドのアナログ信号よりも振幅が大きい信号をノイズとして検出し、そのノイズ検出信号を切換スイッチおよびメモリに与えて切換スイッチをデジタル信号を出力する側からメモリ側へ切換えるノイズ処理部を含み、そのノイズ処理部によって、放送受信用のアナログ／デジタル変換回路によって変換されるデジタル信号中からノイズを低減することを特徴とする。
【００２０】
本発明に従えば、複数の高周波数帯の高周波アナログ回路からのアナログ信号からのノイズ検出は、ノイズ検出用のアナログ／デジタル変換回路で共通に行い、検出されたノイズに基づいて、放送受信用のアナログ／デジタル変換回路によって変換されるデジタル信号中からノイズを低減する。放送受信用のアナログ／デジタル変換回路は、ノイズ成分まで忠実に変換する必要はないので、アナログ／デジタル変換を行う周波数帯域を放送内容の受信に必要な範囲に狭め、デジタル信号処理回路での信号処理を削減し、デジタル信号処理に使用するデジタル信号プロセッサなどの低価格化を図ることができる。
【００２１】
また本発明は、前記アナログ方式の放送を受信する複数の高周波アナログ回路と前記共通化されたノイズ検出用のアナログ／デジタル変換回路との間に、ノイズ検出用周波数帯域の信号成分を通過させる高域通過フィルタを備えることを特徴とする。
【００２２】
本発明に従えば、ノイズ検出用に、本来は放送受信用のアナログ／デジタル変換よりも高速サンプリングしてデジタル信号処理を行う必要があるところを、高域通過フィルタを通過させた信号をアナログ／デジタル変換して本来よりも低速でサンプリングしてデジタル信号処理を行うことができる。高域通過フィルタと低速サンプリングとの組合せによって、ノイズ検出に用いる信号の波形は必ずしも忠実に変換されなくても、帯域のレベルは検出することができ、ノイズ低減処理のために要するデジタル信号処理量を削減することができる。
【００２３】
また本発明で、前記アナログ／デジタル変換回路は、放送受信用のアナログ／デジタル変換回路と、アナログ方式の放送を受信する複数の高周波アナログ回路からの出力信号に基づいて受信レベルを検出するように、共通化された受信レベル検出用のアナログ／デジタル変換回路とを備え、該複数の高周波アナログ回路と該受信レベル検出用のアナログ／デジタル変換回路との間に、中間周波数帯域の信号成分を通過させる高域通過フィルタを備え、前記デジタル信号処理回路は、信号レベル検出用のアナログ／デジタル変換回路によって変換されるデジタル信号をノイズ処理の条件として使用し、放送受信用のアナログ／デジタル変換回路によって変換されるデジタル信号からノイズを検出して、検出されるノイズを低減することを特徴とする。
【００２４】
本発明に従えば、デジタル信号処理回路は、共通化された受信レベル検出用のアナログ／デジタル変換回路で変換されるデジタル信号に基づいて得られる受信レベルを、放送受信用のアナログ／デジタル変換回路によって変換されるデジタル信号からノイズを検出して、検出されるノイズを低減するための処理の条件として使用する。受信レベルをデジタル信号処理で求めるために、本来は各高周波アナログ回路からの中間周波数帯域の信号をアナログ／デジタル変換し、高速サンプリングする必要がある。受信レベルの検出だけを行うためには、高域通過フィルタで信号の帯域を狭め、低速でサンプリングすることができ、デジタル信号処理量を削減することができる。たとえば、受信レベルが低いときは、高周波アナログ回路の利得が上昇し、放送受信用のアナログ信号に含まれるベースバンドの信号レベルも上昇するので、ベースバンドの信号に基づくノイズの検出も誤動作するおそれがあるけれども、ノイズ検出感度を低下させて誤動作を防ぐことができる。
【００２７】
また本発明で、前記デジタル信号処理回路は、前記複数の高周波アナログ回路によって受信され、アナログ／デジタル変換回路によってデジタル信号に変換されるアナログ方式の放送受信信号に対し、共通のノイズ低減処理を行うことを特徴とする。
【００２８】
本発明に従えば、複数の高周波アナログ回路によって受信され、アナログ／デジタル変換回路によってデジタル信号に変換されるアナログ方式の放送受信信号に対し、共通のノイズ低減処理を行うので、ノイズ低減処理に要するデジタル信号処理回路の構成部分を小型化することができる。
【００３１】
また本発明で、前記デジタル信号処理回路は、
前記デジタル方式の放送受信時の受信状況が悪く、再生される受信内容に、信号の断続による断区間が生じるか否かを検出する断続音検出部と、
断続音検出部によって検出される断区間に挿入するための処理音信号を発生する処理音発生部と、
断続音検出部によって断区間が生じていることが検出されるとき、信号の断区間に、該処理音発生部から発生される処理音信号を挿入する断続音処理部とを含むことを特徴とする。
【００３２】
本発明に従えば、デジタル方式の放送受信時に受信状況が悪いと、デジタル信号の全部を完全に復調することができなくなり、再生される受信内容に信号の断続による断区間が生じる。受信信号に断続が生じると、急な音圧変化が生じ、聞きづらくなる。断続音検出部によって信号に断区間が検出されると、断続音処理部は、処理音発生部から発生される処理音信号を断区間に挿入するので、急な音圧変化は解消され、断続音の聞き苦しさを緩和し、受信内容の再生の際の聴感を向上させることができる。
【００３５】
また本発明で、前記処理音発生部は、前記処理音としてノイズ音を発生することを特徴とする。
【００３６】
本発明に従えば、信号の断区間に挿入する処理音として、ノイズ音を用いるので、比較的発生の容易な白色ノイズやピンクノイズを断区間に挿入して、信号断続時の音の強弱を緩和し、聴感を向上させることができる。
【００５５】
【発明の実施の形態】
以下、図１〜図２５を参照して、本発明の実施の形態について説明する。各実施の形態では、先行して説明した部分に対応している部分には同一の参照符を付し、重複する説明を省略する。
【００５６】
図１は、本発明の実施の第１形態である放送受信機１０の概略的な電気的構成を示す。放送受信機１０は、複数の高周波数帯で、アナログ方式の放送とデジタル方式の放送とを含む複数の方式の放送を受信可能である。高周波アナログ回路である高周波アナログ部１１，１２，１３は、極超短波帯のデジタル方式の衛星放送、中波帯のアナログ方式のＡＭ放送、および超短波帯のアナログ方式のＦＭ放送のための高周波増幅、周波数変換などの高周波アナログ処理を行う。デジタル放送受信用の高周波アナログ部１１は、約６ＭＨｚの中間周波数に変換された受信信号を出力する。中波帯のＡＭ放送受信用の高周波アナログ部１２は、約４５０ｋＨｚの中間周波数に変換された中間周波信号と、０〜数１０ｋＨｚのベースバンド信号を出力する。この信号のアナログ／デジタル変換に必要な分解能は８ｂｉｔである。超短波帯のＦＭ放送受信用の高周波アナログ部１３は、約１０ＭＨｚの中間周波信号と、０〜１００ｋＨｚのＦＭ復調信号をベースバンド信号として出力する。この信号のアナログ／デジタル変換に必要な分解能は１４ｂｉｔである。
【００５７】
各高周波数帯の高周波アナログ部１１，１２，１３から周波数変換されて出力されるアナログ信号を、それぞれアナログ／デジタル変換してデジタル信号を得るために、アナログ／デジタル変換器であるＡＤＣ部１４，１５，１６が設けられる。ＡＤＣ部１４，１５，１６によって変換されるデジタル信号は、ＤＳＰ部１７に与えられる。ＤＳＰ部１７は、予め設定されてＲＯＭなどに格納されるデジタル信号処理プログラムに従って、受信内容に対応する信号を得るための信号処理を行う。ＤＳＰ部１７の処理結果は、デジタル／アナログ変換を行うＤＡＣ部１８に与えられ、ＤＡＣ部１８でアナログの音声信号などに変換され、ＡＭＰ／ＳＰ部１９で増幅されて、音声信号として再生される。
【００５８】
ＤＳＰ部１７によるデジタル信号処理は、デジタル方式の放送受信には、エラー訂正処理などを行う必要があるので、必要不可欠である。アナログ方式の放送受信の際には、ＦＭ変調による周波数変移から音声信号を復調したり、ステレオマルチプレックス信号から左右の信号成分を分離したり、音声信号に対するフィルタ処理などを、デジタル信号処理で行うことができる。また、高速動作可能なＤＳＰ部１７を使用すれば、中間周波信号からベースバンド信号を復調したり、直接中波帯の高周波信号を処理したりすることも可能となる。本実施形態では、ＤＳＰ部１７のデジタル信号処理で、共通に複数の放送メディアからの信号を再生することができるので、信号処理部の小型化を図ることができる。
【００５９】
図２は、本発明の実施の第２形態である放送受信機２０の概略的な電気的構成を示す。本実施形態では、アナログ／デジタル変換を行うＡＤＣ部２４を共通化し、最も出力信号の周波数が高い高周波アナログ部１１に対応する高速性と、最も高い分解能を要する高周波アナログ部１２に対応する高分解能とを備えさせる。応答速度は、デジタル方式の放送受信のための高周波アナログ部１１で６ＭＨｚ帯域が必要であるとする。６ＭＨｚのアナログ信号をデジタル信号処理するためには、最大周波数の２倍の周波数である１２ＭＨｚでサンプリングを行う必要がある。分解能は、高周波アナログ部１３での復調信号の変換に１４ｂｉｔが必要となる。したがって、１２ＭＨｚで１４ｂｉｔの高速・高分解能のＡＤＣ部２４を用いることによって、全ての高周波アナログ部１１，１２，１３に対してＡＤＣ部２４を共通化することができ、小型化を図ることができる。
【００６０】
ＤＳＰ部２７は、ＡＤＣ部２４からのデジタル信号に、予め設定されるプログラムに従うデジタル信号処理を施し、アナログ方式の放送の受信内容およびデジタル方式の放送の受信内容を再生する。ＤＳＰ部２７も、ＡＤＣ部２４と同様に、１２ＭＨｚで１４ｂｉｔの高速・高分解能を有する必要がある。高周波アナログ回路１２，１３からの信号にデジタル信号処理を施すときには、ＤＳＰ部２７内にプログラム処理によって設ける間引き処理部２７ａで間引き処理を行い、処理速度を低下させる。ＤＳＰ部２７によるデジタル信号処理結果としてのデジタル信号は、ＤＡＣ部１８でアナログの音声信号などに変換され、ＡＭＰ／ＳＰ部１９で増幅されて、音声信号として再生される本実施形態では、複数の高周波数帯に対し、アナログ／デジタル変換およびデジタル信号処理を共通化することができるので、複数の放送メディアが受信可能な放送受信機２０の小型化を図ることができる。
【００６１】
図３は、本発明の実施の第３形態である放送受信機３０の概略的な電気的構成を示す。本実施形態では、アナログ／デジタル変換を行うＡＤＣ部３４を共通化し、最も出力信号の周波数が高い高周波アナログ部１１に対応する高速性と、高周波アナログ部１１の処理に対応する分解能とを備えさせる。すなわち、ＡＤＣ部３４は、複数の高周波アナログ部１１，１２，１３からの出力信号のうちで最高の処理速度を要する出力信号に対応する１２ＭＨｚの高速性と８ｂｉｔの分解能とを備える単一のアナログ／デジタル変換器である。高周波アナログ部１１からの出力信号は、ＡＤＣ部３４によるデジタル信号への変換の後、そのままＤＳＰ部３７でデジタル信号処理される。
【００６２】
ＤＳＰ部３７は、高周波アナログ部１１よりも低速で高分解能が必要な高周波アナログ部１２，１３からの信号処理のため、間引き処理部３７ａおよびデジタルフィルタ３７ｂを備える。最高の処理速度を要する高周波アナログ部１１からの出力信号よりも低速・高分解能を要する高周波アナログ部１２，１３からの出力信号は、ＡＤＣ部３４によるデジタル信号への変換後に、デジタルフィルタ３８ｂによるダウンサンプリングで低速・高分解能のデジタル信号に変換し、間引き処理部３７ａでの間引き処理を施すと、２００ｋＨｚのサンプリング周波数および１４ｂｉｔの低速・高分解能でデジタル信号処理を行うことができる。
【００６３】
本実施形態では、単一のＡＤＣ部３４によって、複数の高周波数帯の高周波アナログ部１１，１２，１３からのアナログ信号をデジタル信号に変換する。ＡＤＣ部３４は最高の処理速度を要する出力信号に対応する高速性を備えるので、最高の処理速度を要する高周波アナログ部１１から出力されるアナログ信号を容易にデジタル信号に変換することができる。低速・高分解能を要する高周波アナログ部１３からの出力信号は、アナログ／デジタル変換後にデジタルフィルタ３７ｂによるダウンサンプリングと間引き処理部３７ａとによって信号の間引き処理を行うので、総合的な処理速度は低下しても、分解能を高めて、忠実にアナログ信号に変換することができる。ＡＤＣ部３４は高速かつ高分解能を備える必要はないので、低価格となり、製造コストの低減を図ることができる。
【００６４】
図４は、本発明の実施の第４形態である放送受信機４０の概略的な電気的構成を示す。本実施形態では、アナログ方式の放送を受信する高周波アナログ部１２，１３の出力信号中に含まれるパルス性ノイズを、ノイズ処理部４１，４２によってそれぞれ低減させる。ノイズ処理部４１，４２は、ＡＤＣ部４４で変換されたデジタル信号からノイズを低減する処理を行うため、ノイズ検出部４３、切換スイッチ（以下、「切換ＳＷ」と略称する）４６、およびメモリ４５をそれぞれ含む。ノイズ処理部４１，４２は、ＤＳＰ部４７のプログラムによるデジタル信号処理の一部として実現される。すなわち、ＤＳＰ部４７は、予め設定されるプログラムに従うデジタル信号処理で、アナログ方式の放送の受信信号に対するノイズ低減処理を行う。
【００６５】
図５は、本実施形態によるノイズ低減処理の際の信号波形を示す。図５（ａ）は、高周波アナログ部１２，１３から出力されるベースバンドのアナログ信号を示す。放送受信信号に、パルス性のノイズが重畳されている。ノイズ検出部４３は、ベースバンドのアナログ信号よりも振幅が大きい信号としてノイズを検出する。ただし、実際にノイズを検出する対象となる信号は、ＡＤＣ部４４で変換されたデジタル信号であり、演算処理でノイズの検出を行う。ノイズ検出部４３がノイズを検出すると、図５（ｂ）に示すようなノイズ検出信号が発生され、切換ＳＷ４４およびメモリ４５に与えられる。
【００６６】
メモリ４５には、処理対象の信号の瞬間的なレベルが記憶される。切換ＳＷ４４は、ノイズ検出信号に従って、処理対象の信号をそのまま出力するか、メモリ４５に記憶されているレベルで出力するかを切換える。ノイズが検出されると、切換ＳＷ４４は、メモリ４５に記憶されている信号レベルを出力する。メモリ４５は、ノイズが検出されると、信号レベルの新たな記憶を停止し、ノイズ検出直前の信号レベルを保持する。ノイズ検出部４３がノイズを検出しなくなると、切換ＳＷ４４は処理対象の信号をそのまま出力する状態に戻り、メモリ４５は処理対象の信号の瞬間的なレベルの記憶動作に戻る。図５（ｃ）は、このようなノイズ低減処理の結果を示す。図５（ａ）でパルス性ノイズが存在した部分は、その直前のレベルが継続し、ノイズが抑圧される。
【００６７】
図６は、処理対象のベースバンド信号の周波数帯域である信号帯域、およびパルス性ノイズのベースバンド信号の周波数帯域であるノイズ帯域と、レベルとの関係を示す。アナログ方式の放送内容に対応する信号帯域は、たとえばＦＭ放送の周波数変移を考慮して、０〜１００ｋＨｚとみることができる。ノイズ帯域は、信号帯域の２倍の２００ｋＨｚ以上まで延びている。０〜１００ｋＨｚの周波数帯域では、処理対象の信号帯域とノイズとは重なっているけれども、１００ｋＨｚ〜２００ｋＨｚの周波数帯域には、ノイズのみが存在する。ＤＳＰ部４７は、高速フーリエ変換（ＦＦＴ）などで、ＡＤＣ部４４からのＰＣＭデジタル信号を周波数領域の信号に変換することができる。周波数領域ではノイズを容易に検出することができるので、図５に示すようなノイズ低減処理をデジタル信号処理で行うことができる。
【００６８】
アナログ方式の放送の受信信号に対するノイズ低減処理を、ＤＳＰ部４７のプログラムに従うデジタル信号処理で行うことができるので、ノイズ処理のための専用のハードウエアを削減することができる。ＡＤＣ部４４は、２００ｋＨｚまでのベースバンド信号を変換する必要があるので、サンプリング周波数ＦＳは４０ｋＨｚまで必要となる。実施の第２形態または第３形態と同様に、より動作速度の速いＡＤＣ部を用いて、高周波アナログ部１１からの出力信号の処理と共通化したり、高速・低分解能のＡＤＣ部を別に設けることもできる。
【００６９】
図７は、本発明の実施の第５形態である放送受信機５０の概略的な電気的構成を示す。本実施形態では、高周波アナログ部１２，１３からのベースバンド信号からパルス性ノイズを低減する処理を、ノイズ処理部５１，５２で行うため、放送受信用のＡＤＣ部５４と、アナログ方式の放送を受信する複数の高周波アナログ部１２，１３の出力からノイズを検出するように共通化されたノイズ検出用のＡＤＣ部５５とを備える。ノイズ処理部５１，５２は、ＤＳＰ部５７のプログラム処理によって実現され、ノイズ低減処理の基本的原理は、実施の第４形態と同様である。
【００７０】
ノイズ低減処理の対象となる信号は、図６に示すように、０〜１００ｋＨｚの信号帯域となるので、ＡＤＣ部５４では、サンプリング周波数ＦＳを２００ｋＨｚとして変換を行う。ノイズ検出用の周波数帯域は、１００ｋＨｚ〜２００ｋＨｚとなるので、ＡＤＣ部５５では、サンプリング周波数ＦＳを４００ｋＨｚとして変換を行う。ＤＳＰ部５７での処理も、処理対象の信号のサンプリング周波数低下によって、処理量を削減し、小型化や低価格化を図ることができる。
【００７１】
すなわち、本実施形態では、複数の高周波数帯の高周波アナログ部１２，１３からのアナログ信号からのノイズ検出は、ノイズ検出用のＡＤＣ部５５で共通に行い、ＤＳＰ部５７のプログラム処理で実現されるノイズ処理部５１，５２が検出されたノイズに基づいて、放送受信用のＡＤＣ部５４によって変換されるデジタル信号中からノイズを低減する。放送受信用のＡＤＣ部５４は、ノイズ成分まで忠実に変換する必要はないので、アナログ／デジタル変換を行う周波数帯域を放送内容の受信に必要な範囲に狭め、ＤＳＰ部５７での信号処理を削減し、デジタル信号処理に使用するＤＳＰ部５７などの低価格化を図ることができる。
【００７２】
図８は、本発明の実施の第６形態である放送受信機６０の概略的な電気的構成を示す。本実施形態では、高周波アナログ部１２，１３からのベースバンド信号からパルス性ノイズを低減する処理を、ノイズ処理部６１，６２で行うため、放送受信用のＡＤＣ部５４と、アナログ方式の放送を受信する複数の高周波アナログ部１２，１３の出力からノイズを検出するように共通化されたノイズ検出用のＡＤＣ部６５とを備える。ノイズ処理部６１，６２は、ＤＳＰ部６７のプログラム処理によって実現され、ノイズ低減処理の基本的原理は、実施の第４形態と同様である。複数の高周波アナログ部１２，１３と共通化されたノイズ検出用のＡＤＣ部６５との間に、ノイズ検出用周波数帯域の信号成分である１００ｋＨｚ以上を通過させる高域通過フィルタ（以下、「ＨＰＦ」と略称する）６８を備える。
【００７３】
ＨＰＦ６８を通過した信号の周波数帯域は１００ｋＨｚ〜２００ｋＨｚの１００ｋＨｚの幅となるので、ノイズ検出用のＡＤＣ部６５のサンプリング周波数ＦＳを２００ｋＨｚに低下させることができる。ただし、実際にサンプリングされる信号成分は周波数領域で折返しを受け、波形を再現することはできない。しかしながら、ノイズ検出に用いる信号の波形は必ずしも忠実に変換されなくても、図６に示すような信号帯域と重ならない周波数帯域のレベルを検出することができればよい。本来は、放送受信用のＡＤＣ部５４よりも高速サンプリングしてデジタル信号処理を行う必要があるところを、ＨＰＦ６８を通過させた信号をアナログ／デジタル変換するので、ＡＤＣ部６５は本来よりも低速でサンプリングして、ＤＳＰ部６７でノイズ低減のためのデジタル信号処理を行うことができる。ＨＰＦ６８と低速サンプリングとの組合せによって、ノイズ低減処理のために要するデジタル信号処理量を削減することができる。
【００７４】
図９は、本発明の実施の第７形態である放送受信機７０の概略的な電気的構成を示す。本実施形態では、高周波アナログ部１２，１３からのベースバンド信号からパルス性ノイズを低減する処理を、ノイズ処理部７１，７２で行うため、放送受信用のＡＤＣ部５４と、アナログ方式の放送を受信する複数の高周波アナログ部１２，１３の出力から放送信号受信レベルであるＳレベルを検出するように共通化されたＳレベル検出用のＡＤＣ部６５とを備える。ノイズ処理部７１，７２は、ＤＳＰ部７７のプログラム処理によって実現される。
【００７５】
Ｓレベルは、複数の高周波アナログ部１２，１３からベースバンド信号とともに出力される中間周波信号から検出する。中波ＡＭ放送の受信用の高周波アナログ部１２からは０．４５６ＭＨｚ付近の中間周波信号が導出され、超短波ＦＭ放送の受信用の高周波アナログ部１３からは１０．７ＭＨｚ付近の中間周波数信号が導出される。中間周波数信号をデジタル信号処理するためには、本来は１０．７ＭＨｚの２倍の周波数である２０ＭＨｚで高速サンプリングをしなければならない。本実施形態では、複数の高周波アナログ部１２，１３と、共通化されたＳレベル検出用のＡＤＣ部６５との間に、中間周波数帯域の信号成分である４００ｋＨｚ以上を通過させるＨＰＦ７８を備える。
【００７６】
ＤＳＰ部７７は、信号レベル検出用のＡＤＣ部６５によって変換されるデジタル信号をノイズ処理の条件として使用し、放送受信用のＡＤＣ部５４によって変換されるデジタル信号からノイズを検出して、検出されるノイズを低減する処理を行う。受信レベルを中間周波信号からのデジタル信号処理で求めるために、本来は各高周波アナログ部１２，１３からの中間周波数帯域の信号をアナログ／デジタル変換し、高速サンプリングする必要がある。しかしながら、受信レベルの検出だけを行えばよいので、ＨＰＦ７８で信号の周波数帯域を狭めて、中間周波数よりもサンプリング周波数が低い低速でサンプリングすることができ、デジタル信号処理量を削減することができる。
【００７７】
受信レベルを条件とするノイズ低減処理では、受信レベルに応じてノイズ検出感度の調整を行う。たとえば、受信レベルが低いときは、自動利得制御（ＡＧＣ）によって、高周波アナログ部１２，１３の利得が上昇して、放送受信用のアナログ信号に含まれるベースバンドの信号レベルも上昇するので、ベースバンドの信号に基づくノイズの検出では誤動作するおそれがある。受信レベルの低下に合わせて、ノイズ検出感度を低下させれば、誤動作を防ぐことができる。
【００７８】
図１０は、本発明の実施の第８形態である放送受信機８０の概略的な電気的構成を示す。本実施形態では、高周波アナログ部１２，１３からのベースバンド信号からパルス性ノイズを低減する処理を、ノイズ処理部８１，８２で行うため、放送受信用のＡＤＣ部５４と、アナログ方式の放送を受信する複数の高周波アナログ部１２，１３の出力からノイズレベル、および放送信号受信レベルであるＳレベルを検出するように共通化された検出用のＡＤＣ部６５とを備える。ノイズ処理部８１，８２は、ＡＤＣ部６５がノイズ検出用として動作するタイミングに合わせてノイズ低減処理を行うように、検出制御部８３によって制御される。ノイズ処理部８１，８２および検出制御部８３は、ＤＳＰ部８７のプログラム処理によって実現される。
【００７９】
ノイズは、実施の第６形態と同様に、複数の高周波アナログ部１２，１３と共通化されたノイズ検出用のＡＤＣ部６５との間に、ノイズ検出用周波数帯域の信号成分である１００ｋＨｚ以上を通過させるＨＰＦ６８を設け、ＡＤＣ部６５の出力からＤＳＰ部８７で検出する。Ｓレベルは、実施の第７形態と同様に、中間周波信号からＤＳＰ部８７で検出する。ただし、実施の第７形態で４００ｋＨｚ以上の信号を通過させるＨＰＦ７８の代りに、１００ｋＨｚ以上の信号を通過させるＨＰＦ６８をＡＤＣ部６５の入力側に使用して、ノイズ検出用と共用する。ＨＰＦ６８への入力信号を、ノイズ検出用のベースバンド信号またはＳレベル検出用の中間周波信号に切換えるため、切換器８８が設けられる。
【００８０】
検出制御部８３は、切換器８８を切換えて、検出用のＡＤＣ部６５でノイズ検出用のベースバンド信号をデジタル信号に変換し、またはＳレベル検出用の中間周波信号をデジタル信号に変換する。Ｓレベルの検出は、一定時間毎に行う。たとえば数秒間に１回、０．１秒程度の時間で行うことができる。車載用の放送受信機では一定の走行距離の変化毎に行うこともできる。他の時間は、ノイズ低減処理を行う。
【００８１】
本実施形態では、複数の高周波アナログ部１２，１３と共通化された検出用のＡＤＣ部６５との間に、ノイズ検出用の出力信号と信号レベル検出用の中間周波数信号とを切換える切換器８８、およびノイズの信号成分を通過させるＨＰＦ７８を備えるので、アナログ方式の放送を受信する複数の高周波アナログ部１２，１３の出力信号からノイズを検出し、または複数の高周波アナログ部１２，１３で中間周波数に変換された信号から受信レベルを検出することができる。ノイズの検出および受信レベルの検出は、特定の周波数帯域のレベルを検出すればよいので、ＨＰＦ７８と低速のサンプリングとの組合せで行うことができ、デジタル信号処理量を削減することができる。
【００８２】
図１１は、本発明の実施の第９形態である放送受信機９０の概略的な電気的構成を示す。本実施形態では、高周波アナログ部１２，１３からのベースバンド信号からパルス性ノイズを低減する処理を、共通ノイズ処理部９１で共通に行うため、信号調整部９２で、放送メディア毎の利得や周波数特性を調整する。たとえば中波ＡＭ放送は信号帯域１０ｋＨｚ以内、超短波ＦＭ放送は信号帯域２０ｋＨｚ以内に調整する。共通ノイズ処理部９１および信号調整部９２は、ＤＳＰ部９７のプログラム処理によって実現される。共通ノイズ処理部９１を共通化してあるので、プログラムを格納するＲＯＭ容量を削減することができ、信号処理部分を小型化することができる。
【００８３】
図１２は、本発明の実施の第１０形態である放送受信機１００の概略的な電気的構成を示す。本実施形態では、高周波アナログ部１２，１３からのベースバンド信号からパルス性ノイズを低減する処理を、共通ノイズ処理部１０１で共通に行うため、信号調整部９２で、放送メディア毎の利得や周波数特性を調整する。たとえば中波ＡＭ放送は信号帯域１０ｋＨｚ以内、超短波ＦＭ放送は信号帯域２０ｋＨｚ以内に調整する。共通ノイズ処理部１０１は、ノイズ検出部４３および切換ＳＷ４４と適応フィルタ（以下、「ＡＤＦ」と略称する）１０５とを備える。ＡＤＦ１０５は、信号の特性に応じてリアルタイムでデジタル信号処理の際の係数を更新させ、それまでの信号特性に近似した周波数特性を実現することができる。したがって、受信信号中からパルス性ノイズが検出されると、切換ＳＷ４４が受信信号をそのまま出力する状態から、ＡＤＦ１０５を通る信号を出力する状態へ切換えられる。共通ノイズ処理部１０１および信号調整部９２は、ＤＳＰ部１０７のプログラム処理によって実現される。ノイズ処理部１０１を共通化してあるので、プログラムを格納するＲＯＭ容量を削減することができ、信号処理部分を小型化することができる。
【００８４】
図１３は、本発明の実施の第１１形態である放送受信機１１０の概略的な電気的構成を示す。本実施形態では、デジタル方式の放送受信用の高周波アナログ部１１からの出力信号に基づいて生成される音声信号が断続し、断区間が生じるときに、音声信号の聞き苦しさを緩和する処理を行う。断続音処理のための断続音処理部１１１は、断続音検出部１１３、切換ＳＷ１１４および処理音発生部１１５を含み、ＤＳＰ部１１７のプログラム処理によって実現される。本実施形態で、アナログ方式の放送受信用の高周波アナログ部１２，１３に対するデジタル信号処理は、実施の第１形態〜実施の第１０形態と同様に行うことができる。
【００８５】
図１４は、本実施形態で処理される信号の概略的な波形を示す。図１４（ａ）に示すように、デジタル方式の放送の受信状態が悪いような場合には、放送内容を連続的に受信することはできず、音声信号が無音となる断区間が生じる。断続音検出部１１３は、図１４（ｂ）に示すような断区間検出信号を発生する。切換ＳＷ１１４は、断区間が検出されないときは受信信号をそのまま出力し、断区間が検出されると処理音発生部１１５から処理音を発生される処理音を出力するように切換える。
【００８６】
図１４（ａ）に示すような音声信号の断続は、デジタル方式の放送受信時に受信状況が悪いと、デジタル信号の全部を完全に復調することができなくなって生じる。受信信号に断続が生じると、急な音圧変化が生じ、聞きづらくなる。断続音検出部１１３によって信号に断区間が検出されると、断続音処理部１１１は、処理音発生部１１５から発生される処理音信号を断区間に挿入するので、図１４（ｃ）に示すように、急な音圧変化は解消され、断続音の聞き苦しさを緩和し、受信内容の再生の際の聴感を向上させることができる。
【００８７】
図１５は、本発明の実施の第１２形態である放送受信機１２０の概略的な電気的構成を示す。本実施形態では、デジタル方式の放送受信用の高周波アナログ部１１からの出力信号に基づいて生成される音声信号が断続し、断区間が生じるときに、音声信号の聞き苦しさを緩和する処理を、実施の第１１形態のＤＳＰ部１１７の断続音処理部１１１に代えて断続音処理部１２１で行う。断続音処理のための断続音処理部１２１は、断続音検出部１２３、切換ＳＷ１１４および処理音発生部１１５を含み、断続音検出部１２３には０値検出部１２４、０値カウント部１２５およびカウント値評価部１２６が含まれ、全体はＤＳＰ部１１７のプログラム処理によって実現される。本実施形態で、アナログ方式の放送受信用の高周波アナログ部１２，１３に対するデジタル信号処理は、実施の第１形態〜実施の第１０形態と同様に行うことができる。
【００８８】
本実施形態では、ＤＳＰ部１２７から出力されるデジタル信号で０値が連続するときに、０値検出部１２４によって検出され、０値カウント部１２５によって計数され、カウント値評価部１２６で評価される。カウント値評価部１２６は、カウント値が予め設定される基準値を越えるとき断区間と判断する。切換ＳＷ１１４は、断区間に処理音発生部１１５からの処理音を挿入して、断続音の聞き苦しさを緩和する。
【００８９】
図１６は、本発明の実施の第１３形態である放送受信機１３０の概略的な電気的構成を示す。本実施形態では、デジタル方式の放送受信用の高周波アナログ部１１からの出力信号に基づいて生成される音声信号が断続し、断区間が生じるときに、音声信号の聞き苦しさを緩和する処理を、実施の第１１形態のＤＳＰ部１１７の断続音処理部１１１に代えて断続音処理部１３１で行う。断続音処理のための断続音処理部１３１は、断続音検出部１１３、切換ＳＷ１１４およびノイズ音発生部１３５を含み、ＤＳＰ部１３７のプログラム処理によって実現される。本実施形態では、実施の第１１形態の処理音発生部１１５に代えてノイズ音発生部１３５を用いる。断続音の検出は、実施の第１２形態と同様に０値検出に基づいて行うこともできる。アナログ方式の放送受信用の高周波アナログ部１２，１３に対するデジタル信号処理は、実施の第１形態〜実施の第１０形態と同様に行うことができる。
【００９０】
ノイズ音発生部１３５は、断区間に挿入する処理音として連続的なノイズ音を発生する。信号の断区間に挿入する処理音として、ノイズ音を用いるので、比較的発生の容易な白色ノイズやピンクノイズを断区間に挿入して、信号断続時の音の強弱を緩和し、聴感を向上させることができる。アナログ方式の放送受信の際には、受信状態が悪くなるとＳ／Ｎ比が低下してノイズが増え、音声信号が無音となる断区間は生じない。本実施形態では、断区間にノイズ音を挿入するので、デジタル方式の放送受信の際にもアナログ方式と同様な聴感を得ることができる。
【００９１】
図１７は、本発明の実施の第１４形態である放送受信機１４０の概略的な電気的構成を示す。本実施形態では、デジタル方式の放送受信用の高周波アナログ部１１からの出力信号に基づいて生成される音声信号が断続し、断区間が生じるときに、音声信号の聞き苦しさを緩和する処理を、実施の第１１形態のＤＳＰ部１１７の断続音処理部１１１に代えて断続音処理部１４１で行う。断続音処理のための断続音処理部１４１は、断続音検出部１１３、切換ＳＷ１１４、ノイズ音発生部１３５、音圧検出部１４３および音圧調整部１４４を含み、ＤＳＰ部１４７のプログラム処理によって実現される。本実施形態では、実施の第１３形態のノイズ音発生部１３５から発生されるノイズ音の音量を、音圧検出部１４３が検出する信号音の音圧に応じて、音圧調整部１４４で調整する。
【００９２】
本実施形態では、音圧検出部１４３で検出される信号の音圧に応じて、処理音として発生するノイズ音の音圧を音圧調整部１４４で調整するので、信号断続時の音の強弱をより一層同一化することができ、聴感の向上を図ることができる。
【００９３】
図１８は、本発明の実施の第１５形態である放送受信機１５０の概略的な電気的構成を示す。本実施形態では、デジタル方式の放送受信用の高周波アナログ部１１からの出力信号に基づいて生成される音声信号が断続し、断区間が生じるときに、音声信号の聞き苦しさを緩和する処理を、実施の第１１形態のＤＳＰ部１１７の断続音処理部１１１に代えて断続音処理部１５１で行う。断続音処理のための断続音処理部１５１は、断続音検出部１１３、切換ＳＷ１１４、ノイズ音発生部１３５、ｆ特検出部１５３およびｆ特調整部１５４を含み、ＤＳＰ部１５７のプログラム処理によって実現される。本実施形態では、実施の第１３形態のノイズ音発生部１３５から発生されるノイズ音の周波数特性を、ｆ特検出部１５３が検出する信号音の周波数特性に応じて、ｆ特調整部１５４で調整する。
【００９４】
本実施形態では、ｆ特検出部１５３で検出される信号の周波数特性に応じて、処理音として発生するノイズ音の周波数特性をｆ特調整部１５４で調整するので、信号断続時の音の周波数特性をより一層同一化することができ、聴感の向上を図ることができる。
【００９５】
図１９は、本発明の実施の第１６形態である放送受信機１６０の概略的な電気的構成を示す。本実施形態では、デジタル方式の放送受信用の高周波アナログ部１１からの出力信号に基づいて生成される音声信号が断続し、断区間が生じるときに、音声信号の聞き苦しさを緩和する処理を、実施の第１１形態のＤＳＰ部１１７の断続音処理部１１１に代えて断続音処理部１６１で行う。断続音処理のための断続音処理部１６１は、断続音検出部１１３、切換ＳＷ１１４、ノイズ音発生部１３５、音圧調整部１４４、および断続区間長さ検出部１６６を含み、ＤＳＰ部１６７のプログラム処理によって実現される。本実施形態では、実施の第１３形態のノイズ音発生部１３５から発生されるノイズ音の音圧を、断続区間長さ検出部１６６が検出する断区間の長さに応じて、音圧調整部１４４で調整する。
【００９６】
本実施形態によれば、断区間長さ検出部１６６で検出される信号の断区間の長さに応じて、処理音として発生するノイズ音の音圧を音圧調整部１４４で調整する。音圧調整部１４４は、断区間が長いときには、音圧を小さくするように調整するので、処理音が目立ちすぎるのを防ぐことができ、信号断続時の音の違和感が軽減され、聴感の向上を図ることができる。
【００９７】
図２０は、本発明の実施の第１７形態である放送受信機１７０の概略的な電気的構成を示す。本実施形態では、デジタル方式の放送受信用の高周波アナログ部１１からの出力信号に基づいて生成される音声信号が断続し、断区間が生じるときに、音声信号の聞き苦しさを緩和する処理を、実施の第１１形態のＤＳＰ部１１７の断続音処理部１１１に代えて断続音処理部１７１で行う。断続音処理のための断続音処理部１７１は、断続音検出部１１３、切換ＳＷ１１４、ノイズ音発生部１３５、音圧調整部１４４、および断続区間頻度検出部１７６を含み、ＤＳＰ部１７７のプログラム処理によって実現される。本実施形態では、実施の第１３形態のノイズ音発生部１３５から発生されるノイズ音の音圧を、断続区間頻度検出部１７６が検出する断区間の出現頻度に応じて、音圧調整部１４４で調整する。
【００９８】
本実施形態によれば、断区間頻度検出部１７６で検出される信号の断区間の頻度に応じて、ノイズ音発生部１３５から処理音として発生するノイズ音の音圧を音圧調整部１４４で調整する。音圧調整部１４４は、断区間の頻度が大きいときに音圧を小さくするように調整するので、処理音が目立ちすぎるのを防ぐことができ、信号断続時の音の違和感が軽減され、聴感の向上を図ることができる。
【００９９】
図２１は、本発明の実施の第１８形態である放送受信機１８０の概略的な電気的構成を示す。本実施形態では、デジタル方式の放送受信用の高周波アナログ部１１からの出力信号に基づいて生成される音声信号が断続し、断区間が生じるときに、音声信号の聞き苦しさを緩和する処理を、実施の第１１形態のＤＳＰ部１１７の断続音処理部１１１に代えて断続音処理部１８１で行う。断続音処理のための断続音処理部１８１は、断続音検出部１１３、切換ＳＷ１１４、ノイズ音発生部１３５、音圧調整部１４４、およびＳレベル検出部１８６を含み、ＤＳＰ部１８７のプログラム処理によって実現される。本実施形態では、実施の第１３形態のノイズ音発生部１３５から発生されるノイズ音の音圧を、Ｓレベル検出部１８６が検出する信号の受信レベルを表すＳレベルに応じて、音圧調整部１４４で調整する。
【０１００】
本実施形態によれば、Ｓレベル検出部１８６で検出される信号の受信レベルに応じて、ノイズ音発生部１３５から処理音として発生するノイズ音の音圧を音圧調整部１３５で調整する。受信レベルが低いときには、断区間の頻度が大きくなる可能性が大きいので、音圧調整部１４４でノイズ音の音圧を小さくするように調整する。これによって、処理音が目立ちすぎるのを防ぐことができ、信号断続時の音の違和感が軽減され、聴感の向上を図ることができる。
【０１０１】
図２２は、本発明の実施の第１９形態である放送受信機１９０の概略的な電気的構成を示す。本実施形態では、デジタル方式の放送受信用の高周波アナログ部１１からの出力信号に基づいて生成される音声信号が断続し、断区間が生じるときに、音声信号の聞き苦しさを緩和する処理を、実施の第１１形態のＤＳＰ部１１７の断続音処理部１１１に代えて断続音処理部１９１で行う。断続音処理のための断続音処理部１９１は、断続音検出部１１３、切換ＳＷ１１４、ノイズ音発生部１３５、音圧調整部１４４、および環境騒音レベル検出部１９６を含み、ＤＳＰ部１９７のプログラム処理によって実現される。本実施形態では、実施の第１３形態のノイズ音発生部１３５から発生されるノイズ音の音圧を、環境騒音レベル検出部１９６が検出する環境騒音レベルに応じて、音圧調整部１４４で調整する。
【０１０２】
本実施形態によれば、環境騒音レベル検出部１９６で検出される環境騒音レベルに応じて、ノイズ音発生部１３５から処理音として発生するノイズ音の音圧を音圧調整部１４４で調整する。音圧調整部１４４は、環境騒音レベルが低いときに音圧を小さくするように調整するので、ノイズ音が目立ちすぎるのを防ぐことができ、信号断続時の音の違和感が軽減され、聴感の向上を図ることができる。
【０１０３】
図２３は、本発明の実施の第２０形態である放送受信機２００の概略的な電気的構成を示す。本実施形態では、デジタル方式の放送受信用の高周波アナログ部１１からの出力信号に基づいて生成される音声信号が断続し、断区間が生じるときに、音声信号の聞き苦しさを緩和する処理を、実施の第１１形態のＤＳＰ部１１７の断続音処理部１１１に代えて断続音処理部２０１で行う。断続音処理のための断続音処理部２０１は、断続音検出部１１３、切換ＳＷ１１４、および発振回路等からなり、電子的にブザー音を発生するビープ音発生部２０５を含み、ＤＳＰ部２０７のプログラム処理によって実現される。本実施形態では、断続音検出部１１３による断区間検出時に、切換ＳＷ１１４をビープ音発生部２０５側に切換えて、ビープ音発生部２０５から発生されるビープ音を断区間が生じていることを報知するための報知音としてＡＭＰ／ＳＰ部１９から出力させる。
【０１０４】
デジタル方式の放送受信時に受信状況が悪いと、デジタル信号の全部を完全に復調することができなくなり、再生される受信内容に信号の断続による断区間が生じる。本実施形態では、断続音検出部１１３によって信号に断区間が検出されると、切換ＳＷ１１４はビープ音発生部２０５から発生されるビープ音を信号に付加するので、デジタル放送受信信号に断区間が生じていることを放送受信機の聴取者が明確に判らせることができる。放送電波の伝播状況の悪化を容易に知ることができるので、聴取者は受信する放送メディアを変更するなどの対応を容易に採ることができる。
【０１０５】
図２４は、本発明の実施の第２１形態である放送受信機２１０の概略的な電気的構成を示す。本実施形態では、デジタル方式の放送受信用の高周波アナログ部１１からの出力信号に基づいて生成される音声信号が断続し、断区間が生じるときに、音声信号の聞き苦しさを緩和する処理を、実施の第１１形態のＤＳＰ部１１７の断続音処理部１１１に代えて断続音処理部２１１で行う。断続音処理のための断続音処理部２１１は、断続音検出部１１３、切換ＳＷ１１４、および音声通知部２１５を含み、ＤＳＰ部２１７のプログラム処理によって実現される。本実施形態では、断続音検出部１１３による断区間検出時に、切換ＳＷ１１４を音声通知部２１５側に切換えて、音声通知部２１５から発生される音声を音声信号としてＡＭＰ／ＳＰ部１９から出力させる。音声通知としては、たとえば、「ただいま、受信状況が悪化しております。」などの案内メッセージを付加する。
【０１０６】
デジタル方式の放送受信時に受信状況が悪いと、デジタル信号の全部を完全に復調することができなくなり、再生される受信内容に信号の断続による断区間が生じる。本実施形態では、音声通知部２１５は、断続音検出部１１３によって断区間が生じていることが検出されるとき、予め設定される音声で通知を行うので、デジタル放送受信信号に断区間が生じていることを放送受信機の聴取者に明確に伝えることができる。放送電波の伝播状況を容易に知ることができので、聴取者は受信する放送メディアを変更するなどの対応を容易に採ることができる。
【０１０７】
図２５は、本発明の実施の第２２形態である放送受信機２２０の概略的な電気的構成を示す。本実施形態では、デジタル方式の放送受信用の高周波アナログ部１１からの出力信号に基づいて生成される音声信号が断続し、断区間が生じるときに、音声信号の聞き苦しさを緩和する処理を、実施の第１１形態のＤＳＰ部１１７の断続音処理部１１１に代えて断続音処理部２２１で行う。断続音処理のための断続音処理部２２１は、断続音検出部１１３、切換ＳＷ１１４、および他メディア２２５を含み、ＤＳＰ部２２７のプログラム処理によって実現される。本実施形態では、断続音検出部１１３による断区間検出時に、切換ＳＷ１１４を他メディア２２５側に切換えて、予め選択される他の放送やコンパクトディスク（ＣＤ）等の記録媒体からの再生等に、再生信号を切換えて、ＡＭＰ／ＳＰ部１９から出力させる。
【０１０８】
デジタル方式の放送受信時に受信状況が悪いと、デジタル信号の全部を完全に復調することができなくなり、再生される受信内容に信号の断続による断区間が生じる。本実施形態では、断続音検出部１１３によって断区間が生じていることが検出されるとき、切換ＳＷ１１４は予め選択される他メディア２２５からの信号に受信信号を切換える。放送電波の受信状況が悪くなっても、聴取者は受信する放送メディアを変更するなどの操作を行う必要はなく、連続して信号再生を続けることができる
以上説明したように、本発明の各実施形態では、デジタル方式の放送受信もアナログ方式の放送受信も、デジタル信号処理を共通に用いて行う。デジタル方式の放送受信のためにはデジタル信号処理を必要とするので、デジタル方式の放送の受信が可能な放送受信機には、デジタル信号処理機能が備えられる。本発明では、デジタル信号処理機能を用いて、アナログ方式の放送受信も行うので、デジタル方式とアナログ方式との両方式の放送受信が可能な放送受信機で、受信処理に要するハードウエアの規模を小さくすることができる。
【０１０９】
たとえば、図２６に示す放送受信機では、次の表１に示すような受信モジュールサイズが必要となる。ただし、単位はｍｍであり、「＊」は乗算を示す。
【０１１０】
【表１】
0004220064.tif 000002
【０１１１】
すなわち、合計で１０＊３０＊１００＋１０＊３０＊１００＝６００００ｍｍ3の容量が必要となる。
【０１１２】
図２や図３に示す実施形態では、信号処理を共通のハードウエアで行うので、高周波アナログ部の容量は同一であっても、受信モジュールサイズは、合計で、１０＊３０＊１００＋１０＊３０＊５０＝４５０００ｍｍ3となり、２５％の容量削減を図ることができる。このような容量削減によって、信号処理部を実装するプリント配線基板などの面積を小さくし、使用部品も削減して部品コストを低減し、筐体の小型化も図ることができる。
【０１１３】
【発明の効果】
以上のように本発明によれば、複数の高周波数帯に対し、それぞれ放送を受信して周波数の変換および増幅を含む高周波アナログ信号処理を、高周波アナログ回路によって行い、アナログ／デジタル変換回路によってデジタル信号に変換する。複数の高周波数帯の高周波アナログ回路に対して共通に設けられるデジタル信号処理回路は、予め設定されるプログラムに従うデジタル信号処理によって、アナログ方式の放送の受信内容およびデジタル方式の放送の受信内容を再生するので、放送内容を再生するために信号処理を行う部分を各高周波数帯毎に設ける必要はなく、複数の放送メディアが受信可能な放送受信機の小型化を図ることができる。
【０１１５】
また本発明によれば、共通のアナログ／デジタル変換回路は、最高の処理速度を要する出力信号に対応する高速性を備えるので、最高の処理速度を要する高周波アナログ回路から出力されるアナログ信号を容易にデジタル信号に変換することができる。アナログ／デジタル変換回路は、低速・高分解能を要する高周波アナログ回路からの出力信号をアナログ／デジタル変換後にダウンサンプリングで信号の間引き処理を行うので、分解能を高めて、忠実にアナログ信号に変換することができる。したがってアナログ／デジタル変換回路は、高速かつ高分解能を備える必要はないので、低価格となり、製造コストの低減を図ることができる。
【０１１６】
また本発明によれば、アナログ方式の放送受信時のノイズ低減処理を、デジタル信号処理回路によるデジタル信号処理で行うことができるので、ノイズ処理のために専用のハードウエアを設ける必要はなく、小型化を図ることができる。
【０１１７】
また本発明によれば、複数の高周波数帯の高周波アナログ回路からのアナログ信号からのノイズ検出を、ノイズ検出用のアナログ／デジタル変換回路で共通に行い、放送受信用のアナログ／デジタル変換回路によって変換されるデジタル信号中からノイズを低減する。放送受信用のアナログ／デジタル変換回路は、ノイズ成分まで忠実に変換する必要はないので、アナログ／デジタル変換を行う周波数帯域を放送内容の受信に必要な範囲に狭め、デジタル信号処理回路での信号処理量を削減し、デジタル信号処理に使用するデジタル信号プロセッサなどの低価格化を図ることができる。
【０１１８】
また本発明によれば、高域通過フィルタを通過させた信号をアナログ／デジタル変換し、比較的低速でサンプリングして、デジタル信号処理によるノイズ検出を行うことができる。ノイズ検出に用いる信号の波形は必ずしも忠実に変換されなくても、帯域のレベルは検出することができ、ノイズ低減処理のために要するデジタル信号処理量を削減することができる。
【０１１９】
また本発明によれば、受信レベル検出用のアナログ／デジタル変換回路で変換されるデジタル信号に基づいて得られる受信レベルを、放送受信用のアナログ／デジタル変換回路によって変換されるデジタル信号からノイズを検出して低減するための処理の条件として使用する。受信レベルをデジタル信号処理で求めるために、高域通過フィルタで信号の帯域を狭め、低速でサンプリングすることができ、デジタル信号処理量を削減することができる。受信レベルが低いときは、高周波アナログ回路の利得上昇によって、放送受信用のアナログ信号に含まれるベースバンドの信号レベルも上昇し、ベースバンドの信号に基づくノイズの検出も誤動作するおそれがあるけれども、ノイズ検出感度を低下させて誤動作を防ぐことができる。
【０１２１】
また本発明によれば、複数の高周波アナログ回路によって受信可能なるアナログ方式の放送受信信号に対して共通のノイズ低減処理を行うので、ノイズ低減処理に要する構成部分を小型化することができる。
【０１２３】
また本発明によれば、デジタル方式の放送受信時に受信状況が悪くなって、再生される受信内容に信号の断続による断区間が生じると、断区間に処理音を断区間に挿入して、受信信号に断続が生じても、再生音に急な音圧変化が生じ、聞きづらくなることを回避し、受信内容の再生の際の聴感を向上させることができる。
【０１２５】
また本発明によれば、信号の断区間にノイズ音を挿入するので、信号断続時の音の強弱を緩和し、受信内容再生時の聴感を向上させることができる。
【図面の簡単な説明】
【図１】本発明の実施の第１形態の放送受信機１０の概略的な電気的構成を示すブロック図である。
【図２】本発明の実施の第２形態の放送受信機２０の概略的な電気的構成を示すブロック図である。
【図３】本発明の実施の第３形態の放送受信機３０の概略的な電気的構成を示すブロック図である。
【図４】本発明の実施の第４形態の放送受信機４０の概略的な電気的構成を示すブロック図である。
【図５】図４のノイズ処理部４１，４２によるノイズ低減処理の過程を示す波形図である。
【図６】図４のノイズ検出部４３でノイズ検出を行うために利用する信号帯域とノイズ帯域との違いを示すグラフである。
【図７】本発明の実施の第５形態の放送受信機５０の概略的な電気的構成を示すブロック図である。
【図８】本発明の実施の第６形態の放送受信機６０の概略的な電気的構成を示すブロック図である。
【図９】本発明の実施の第７形態の放送受信機７０の概略的な電気的構成を示すブロック図である。
【図１０】本発明の実施の第８形態の放送受信機８０の概略的な電気的構成を示すブロック図である。
【図１１】本発明の実施の第９形態の放送受信機９０の概略的な電気的構成を示すブロック図である。
【図１２】本発明の実施の第１０形態の放送受信機１００の概略的な電気的構成を示すブロック図である。
【図１３】本発明の実施の第１１形態の放送受信機１１０の概略的な電気的構成を示すブロック図である。
【図１４】図１３の断続音処理部１１１による断区間への処理音挿入処理の過程を示す波形図である。
【図１５】本発明の実施の第１２形態の放送受信機１２０の概略的な電気的構成を示すブロック図である。
【図１６】本発明の実施の第１３形態の放送受信機１３０の概略的な電気的構成を示すブロック図である。
【図１７】本発明の実施の第１４形態の放送受信機１４０の概略的な電気的構成を示すブロック図である。
【図１８】本発明の実施の第１５形態の放送受信機１５０の概略的な電気的構成を示すブロック図である。
【図１９】本発明の実施の第１６形態の放送受信機１６０の概略的な電気的構成を示すブロック図である。
【図２０】本発明の実施の第１７形態の放送受信機１７０の概略的な電気的構成を示すブロック図である。
【図２１】本発明の実施の第１８形態の放送受信機１８０の概略的な電気的構成を示すブロック図である。
【図２２】本発明の実施の第１９形態の放送受信機１９０の概略的な電気的構成を示すブロック図である。
【図２３】本発明の実施の第２０形態の放送受信機２００の概略的な電気的構成を示すブロック図である。
【図２４】本発明の実施の第２１形態の放送受信機２１０の概略的な電気的構成を示すブロック図である。
【図２５】本発明の実施の第２２形態の放送受信機２２０の概略的な電気的構成を示すブロック図である。
【図２６】従来の放送受信機の概略的な電気的構成を示すブロック図である。
【符号の説明】
１０，２０，３０，４０，５０，６０，７０，８０，９０，１００，１１０，１２０，１３０，１４０，１５０，１６０，１７０，１８０，１９０，２００，２１０，２２０  放送受信機
１１，１２，１３  高周波アナログ部
１４，１５，１６，２４，３４，４４，５４，５５，６５  ＡＤＣ部
１７，２７，３７，４７，５７，６７，７７，８７，９７，１０７，１１７，１２７，１３７，１４７，１５７，１６７，１７７，１８７，１９７，２０７，２１７，２２７  ＤＳＰ部
２７ａ，３７ａ  間引き処理部
４１，４２，５１，５２，６１，６２，７１，７２，８１，８２  ノイズ処理部
４３  ノイズ検出部
４４，１１４  切換ＳＷ
４５  メモリ
６８，７８  ＨＰＦ
８８  切換器
９１，１０１  共通ノイズ処理部
９２  信号調整部
１１１，１２１，１３１，１４１，１５１，１６１，１７１，１８１，１９１，２０１，２１１，２２１  断続音処理部
１１３，１２３  断続音検出部
１１５  処理音発生部
１２４  ０値検出部
１２５  ０値カウント部
１２６  カウント値評価部
１３５  ノイズ音発生部
１４３  音圧検出部
１４４  音圧調整部
１５３  ｆ特検出部
１５４  ｆ特調整部
１６６  断続区間長さ検出部
１７６  断続区間頻度検出部
１８６  Ｓレベル検出部
１９６  環境騒音レベル検出部
２０５  ビープ音発生部
２１５  音声通知部
２２５  他メディア
【図１】
0004220064.tif 000003
【図２】
0004220064.tif 000004
【図３】
0004220064.tif 000005
【図４】
0004220064.tif 000006
【図５】
0004220064.tif 000007
【図６】
0004220064.tif 000008
【図７】
0004220064.tif 000009
【図８】
0004220064.tif 000010
【図９】
0004220064.tif 000011
【図１０】
0004220064.tif 000012
【図１１】
0004220064.tif 000013
【図１２】
0004220064.tif 000014
【図１３】
0004220064.tif 000015
【図１４】
0004220064.tif 000016
【図１５】
0004220064.tif 000017
【図１６】
0004220064.tif 000018
【図１７】
0004220064.tif 000019
【図１８】
0004220064.tif 000020
【図１９】
0004220064.tif 000021
【図２０】
0004220064.tif 000022
【図２１】
0004220064.tif 000023
【図２２】
0004220064.tif 000024
【図２３】
0004220064.tif 000025
【図２４】
0004220064.tif 000026
【図２５】
0004220064.tif 000027
【図２６】
0004220064.tif 000028